(57)【要約】      （修正有）【課題】一つの部品によってクリップ部を結束部からオフセット無の位置とオフセット有の位置とに容易にオフセット可能にすると共に、オフセット方向を容易に変更可能にした可変オフセットクリップを提供する。【解決手段】可変オフセットクリップは、複数本の線状体２を結束可能な結束バンド１６を有する結束部３と、該結束部３により結束された前記線状体２を被取付体４に装着するクリップ５を有するクリップ部６と、該クリップ部６と前記結束部３とを連結する扁平形状化可能な環状体連結部７と、を有している。この可変オフセットクリップの前記環状体連結部７は、前記クリップ部６を前記結束部７に対し中立位置で扁平状態を維持すると共に、前記中立位置から偏心位置で扁平状態を維持するようにされた係合手段２０，２１を有している。【選択図】図３
2005143198.tif 000002
【特許請求の範囲】
【請求項１】
複数本の線状体を結束可能な結束バンドを有する結束部と、
該結束部により結束された前記線状体を被取付体に装着するクリップを有するクリップ部と、
該クリップ部と前記結束部とを連結する扁平形状化可能な環状体連結部と、
を有する可変オフセットクリップであって、
前記環状体連結部は、前記クリップ部を前記結束部に対し中立位置で扁平状態を維持し得ると共に、前記中立位置から偏心した偏心位置でも扁平状態を維持し得るようにされた係合手段を有していることを特徴とする可変オフセットクリップ。
【請求項２】
前記係合手段は、一方が複数の凸部で他方が前記凸部を係合する複数の穴部であることを特徴とする請求項１に記載の可変オフセットクリップ。
【請求項３】
前記係合手段は、前記中立位置と前記偏心位置とで前記凹部を共用可能であることを特徴とする請求項１又は２に記載の可変オフセットクリップ。
【請求項４】
前記環状体連結部は、多角形形状の扁平形状に変形自在なリンクからなることを特徴とする請求項１又は２に記載の可変オフセットクリップ。
【発明の詳細な説明】
【技術分野】
【０００１】
本発明は、複数の線状体を被取付体の所望の位置に取り付ける可変オフセットクリップに係わり、特に、被取付体への取付位置と線状体の所定の配設位置とがずれているときの線状体のオフセット取付を容易にした可変オフセットクリップに関する。
【背景技術】
【０００２】
例えば、車両等においては、種々の電気機器や駆動部等のための電線束、光ファイバ束及びエアー配管束等を結束バンドにより結束したワイヤハーネスが被取付体の取付面にクリップにより係止固定されている。
【０００３】
被取付体への取付位置（固定点）とワイヤハーネスの所定の配設位置とがクリップの取付場所の制約によりずれていることがあり、このような場合にはクリップ部がワイヤハーネスからずれた構成のオフセットクリップが使用されている。
【０００４】
従来のこの種のオフセットクリップとして、例えば、クリップ部から一つの方向にアームを延設すると共に、このアームに複数の結束固定穴を設け、線状体を結束したバンド部を上記何れかの結束固定穴に選択的に係止することによりクリップ部を線状体からオフセットさせているものがある（例えば、特許文献１参照）。
【特許文献１】特開平９−１００９５３号公報（図３）
【発明の開示】
【発明が解決しようとする課題】
【０００５】
しかしながら、従来のオフセットクリップにおいては、ワイヤハーネスを結束する結束部（バンド部）とこの結束部を被取付体に係止固定するクリップ部とが別体の２ピース構造により構成されている。
【０００６】
このため、実際のクリップ作業時には２部品（バンド部、クリップ部）とを駆使してワイヤハーネスを固定するため、効率的なクリップ作業は期待できなかった。また、２部品を用いて初めて一つのオフセットクリップとして使用できるため、部品の管理が面倒であると共にコストも高くなる問題があった。
【０００７】
本発明は、一つの部品によってクリップ部を結束部からオフセット無の位置とオフセット有の位置とに容易にオフセット可能にすると共に、オフセット方向を容易に変更可能にした可変オフセットクリップを提供することを目的とするものである。
【課題を解決するための手段】
【０００８】
本発明は、上述事情に鑑みなされたものであって、請求項１に記載の発明は、複数本の線状体を結束可能な結束バンドを有する結束部と、該結束部により結束された前記線状体を被取付体に装着するクリップを有するクリップ部と、該クリップ部と前記結束部とを連結する扁平形状化可能な環状体連結部と、を有する可変オフセットクリップであって、前記環状体連結部は、前記クリップ部を前記結束部に対し中立位置で扁平状態を維持し得ると共に、前記中立位置から偏心した偏心位置でも扁平状態を維持し得るようにされた係合手段を有していることを特徴としている。
【０００９】
このように構成された請求項１の発明では、結束部とクリップ部とが一致した通常の位置（中立位置）において環状体連結部を扁平化し係合手段により扁平状態を維持させることによりクリップ部を線状体に対してオフセット無の状態にし、線状体を何れか一方の横方向にずらしたオフセット位置で環状体連結部を扁平化し係合手段により扁平状態を維持させることによりクリップ部をオフセット有の状態にさせることができる。このため、結束部、クリップ部及び環状体連結部を一体成形してなる１ピース部品により可変オフセットクリップを構成することができて、線状体のオフセット操作及び部品の管理が容易になる。また、クリップ部に対する結束部のオフセット方向を容易に変更可能にすることができる。
【発明の効果】
【００１０】
請求項１に係わる発明によれば、結束部とクリップ部とが一致した通常の位置（中立位置）において環状体連結部を扁平化し係合手段により扁平状態を維持させることによりクリップ部を複数の線状体に対してオフセット無の状態にし、複数の線状体を何れか一方の横方向にずらしたオフセット位置で環状体連結部を扁平化し係合手段により扁平状態を維持させることにより結束部をオフセット有の状態にさせることができる。このため、結束部、クリップ部及び環状体連結部を一体成形してなる１ピース部品により可変オフセットクリップを構成することができて、結束部のオフセット操作及び部品の管理が容易になる。また、クリップ部に対する結束部のオフセット方向を容易に変更可能にすることができる。
【発明を実施するための最良の形態】
【００１１】
本発明の実施例１を図面に基づいて説明する。
【実施例１】
【００１２】
図１は可変オフセットクリップ１の斜視図、図２は可変オフセットクリップ１を斜め下方から見た斜視図をそれぞれ示している。
【００１３】
図１ないし図４において、この可変オフセットクリップ１は、図３に示す複数の線状体２を結束する結束部３と、この結束部３により結束された複数の線状体（以下ワイヤハーネスという）２Ａを車両部品等の被取付体４に装着するクリップ５を有するクリップ部６と、このクリップ部６と上記結束部３とを連結する環状体連結部７とを有している。
【００１４】
上記環状体連結部７は、例えば、板状の部材に複数の折曲部８を設けて折曲自在にすると共に、複数のリンクを有する正多角形（本実施例では６角形）の変形可能な環状体に形成されている。
【００１５】
すなわち、環状体連結部７は、中央の上下リンク１０，１１と、左側の上下リンク１２，１３と、右側の上下リンク１４，１５とにより構成されている。ここで、環状体連結部７の正多角形とは、上記リンク１０〜１５の長さが等しいことを意味していて、形状は正多角形から変化する。
【００１６】
前述した結束部３は、ワイヤハーネス２Ａを結束する結束バンド１６と、この結束バンド１６の端部１６ａを係止可能なバンド係止部１７を有している。また、結束バンド１６の一部は、環状体連結部７の上リンク１０を共用するようにして構成されている。
【００１７】
前記クリップ部６は、前記クリップ５とこのクリップ５が固定されている下リンク１１とにより構成されている。下リンク１１の前後側には、クリップ５を被取付体４に取り付けたときに可変オフセットクリップ１にガタが生じるのを防止するための押さえ部１８，１９が図４に示すようにクリップ５側に傾斜する向きに一体的に設けられている。
【００１８】
環状体連結部７の中央部の上リンク１０には、係合手段としての１対の凸部２０が内向きに設けられており（図２参照）、同様な凸部２０が左側の下リンク１３及び右側の下リンク１５にもそれぞれ設けられている（図３参照）。
【００１９】
また、環状体連結部７の中央部の下リンク１１には、上リンク１０の凸部２０が係合可能な係合手段としての穴部２１が設けられており（図２参照）、同様な穴部２１が左側の下リンク１３及び右側の下リンク１５にもそれぞれ設けられている（図３参照）。
【００２０】
環状体連結部７が前述したように正多角形に形成されているので、環状体連結部７を複数種類（本例では３種類）に扁平形状化させることができる。
【００２１】
環状体連結部７の第１の扁平状態は、結束部３がクリップ５と同じ状態の通常の位置（中立位置）にあるように中央部の上リンク１０と下リンク１１とが重なると共に、左側の上下リンク１２，１３と右側の上下リンク１４，１５も重なった状態、すなわちオフセット無の状態であり、図６はこの状態を示している。
【００２２】
環状体連結部７の第２の扁平状態は、結束部３をクリップ部６に対して横方向、例えば右方向にずらした偏心位置で各リンクを重ねる状態（右オフセット状態）である。
【００２３】
図５は、クリップ部６に対して結束部３を右方向に次第に偏位させていく状態を示している。このとき、左側の上下リンク１２，１３は下リンク１１に対して矢印方向に、そして右側の上下リンク１４，１５は上リンク１０に対して矢印方向にそれぞれ傾斜していく。
【００２４】
そして、左側の下リンク１３と中央の下リンク１１、左側の上リンク１２と右側の下リンク１５及び中央の上リンク１０と右側の上リンク１４とがそれぞれ重なることで環状体連結部７は扁平状態となる。図７は、結束部３が右側の偏心位置にオフセットした右オフセット状態を示している。
【００２５】
環状体連結部７の第３の扁平状態は、結束部３をクリップ部６に対して左方向にずらした位置で各リンクを重ねる状態（左オフセット状態）である。
【００２６】
すなわち、右側の下リンク１５と中央の下リンク１１、右側の上リンク１４と左側の下リンク１３及び中央の上リンク１０と左側の上リンク１２とがそれぞれ重なることで環状体連結部７は扁平状態となる。図８は、結束部３が左側の偏心位置にオフセットした左オフセット状態を示している。
【００２７】
結束部３が右オフセットして、環状体連結部７が図７のように扁平状態になったとき、左側の下リンク１３の凸部２０は中央の下リンク１１の穴部２１に係合し、同様に右側の下リンク１５の凸部２０は左側の上リンク１２の穴部２１に、そして中央の上リンク１０の凸部２０は右側の上リンク１４の穴部２１にそれぞれ係合して環状体連結部７の扁平状態が保持される。
【００２８】
同様にして、結束部３をクリップ部６に対して左オフセットして環状体連結部７を図８に示すように扁平状態にすると、右側の下リンク１５の凸部２０と中央の下リンク１１の穴部２１、左側の凸部２０と右側の上リンク１４の穴部２１、及び中央の凸部２０と左側の穴部２１とがそれぞれ係合して環状体連結部７の扁平状態が保持される。
【００２９】
上記のように構成された可変オフセットクリップ１は、所定の配設位置にあるワイヤハーネス２Ａが、ワイヤハーネス２Ａと一致する位置で被取付体４に取り付けることができる場合には、図６に示すように中立位置のオフセット無の状態で被取付体４に装着される。
【００３０】
また、ワイヤハーネス２Ａの取り付け場所の制約により、ワイヤハーネス２Ａの配設位置からクリップ部６の取付位置がずれている場合には、このずれている方向に結束部３を右又は左オフセットして、すなわち、結束部３にしてクリップ部６を何れかの方向にオフセットさせて、可変オフセットクリップ１が被取付体４に装着される。
【００３１】
このように、可変オフセットクリップ１は、結束部３、クリップ部６及び環状体連結部７を一体化した１ピース構造になっているので、ワイヤハーネス２Ａのオフセットの向きを容易に変更することができると共に、ワイヤハーネス２Ａの結束及び取付作業、及びワイヤハーネス２Ａのオフセット操作を飛躍的に向上させることができる。また、可変オフセットクリップ１が１ピース構造であることから、可変オフセットクリップ１の部品管理を容易にすることができる。
【００３２】
前述の穴部２１に対する凸部２０の係合において、中央の下リンク１１の穴部２１は、前述したように環状体連結部７が図６に示すように中立位置で扁平状態になるときには上リンク１０の凸部２０と係合する。
【００３３】
また、下リンク１１の穴部２１は、結束部３が右オフセットときには、図７に示すように左側の下リンク１３の凸部２０と係合し、さらに結束部３が図８に示すように左オフセットしたときには右側の下リンク１５の凸部２０と係合する。
【００３４】
すなわち、中央の下リンク１１の穴部２１は、結束部３のオフセット無、及びオフセット有の状態に応じて、３つの凸部２０との係合を共用することができる。同様に左側の上リンク１２及び右側の上リンク１４の各穴部２１も対応する凸部２０との係合をそれぞれ共用することができる。
【００３５】
このように、凸部２０が係合する穴部２１を共用させることにより、可変オフセットクリップ１の形状が簡素化されてコストダウンを実現することができる。
【００３６】
環状体連結部７の形状は、これの形状が６角形の正多角形として説明したが、左右の上リンク１２，１４の上リンク１０側近傍と、左右の下リンク１３，１５の下リンク１１側近傍に折曲部８と同様の折曲部をそれぞれ設け、結束部３をオフセットするときに上記追加した折曲部のうち対向する折曲部をそれぞれ折曲して環状体連結部７を扁平状態にしてもよい。
【００３７】
この場合、図７、図８に示す結束部３のオフセット量よりも、結束部３のオフセット量は短くなる。
【００３８】
なお、上記環状体連結部７は、複数のリンクにより構成されている場合について説明したが、上記リンクの代わりに環状ゴムを用いて環状体連結部７を構成することも可能である。
【００３９】
以上説明した発明を実施するための最良の形態の可変オフセットクリップ（１）は、複数本の線状体（２）を結束可能な結束バンド（１６）を有する結束部（３）と、該結束部（３）により結束された前記線状体（２）を被取付体（４）に装着するクリップ（５）を有するクリップ部（６）と、該クリップ部（６）と前記結束部（３）とを連結する扁平形状化可能な環状体連結部（７）と、を有している。この可変オフセットクリップ（１）の前記環状体連結部（７）は、前記クリップ部（６）を前記結束部（７）に対し中立位置で扁平状態を維持し得ると共に、前記中立位置から偏心した偏心位置でも扁平状態を維持し得るようにされた係合手段（２０，２１）を有している。
【００４０】
この構成によれば、結束部（３）とクリップ部（６）とが一致した通常の位置（中立位置）において環状体連結部（７）を扁平化し係合手段（２０，２１）により扁平状態を維持させることにより結束部（３）をクリップ（６）に対してオフセット無の状態にし、複数の線状体（２）を何れか一方の横方向にずらしたオフセット位置で環状体連結部（７）を扁平化し係合手段（２０，２１）により扁平状態を維持させることにより、クリップ部（６）をオフセット有の状態にさせることができる。このため、結束部（３）、クリップ部（６）及び環状体連結部（７）を一体成形してなる１ピース部品により可変オフセットクリップ（１）を構成することができて、結束部（３）のオフセット操作及び部品の管理が容易になる。また、線状体に対するクリップ部のオフセット方向を容易に変更可能にすることができる。
【００４１】
また、本発明を実施するための最良の形態の可変オフセットクリップ（１）は、前記係合手段（２０，２１）が、一方が複数の凸部（２０）で他方が前記凸部を係合する複数の穴部（２１）からなっている。
【００４２】
この構成によれば、環状体連結部（７）を中立位置又は偏心位置（オフセット位置）で扁平状態にされたとき、複数の係合手段（２０，２１）により環状体連結部７を扁平状態に保持することができる。
【００４３】
また、本発明を実施するための最良の形態の可変オフセットクリップ（１）は、前記係合手段が、前記中立位置と前記偏心位置で前記穴部（２１）を共用可能になっている。
【００４４】
この構成によれば、凸部（２０）が係合する穴部（２１）を共用させることにより、可変オフセットクリップ（１）の形状が簡素化されて可変オフセットクリップ（１）コストダウンを実現することができる。
【００４５】
また、本発明を実施するための最良の形態の可変オフセットクリップ（１）は、前記環状体連結部（７）が、多角形形状の扁平形状に変形自在なリンク（１０〜１５）からなっている。
【００４６】
この構成によれば、結束部（３）とクリップ部（６）とが一致した中立位置において、環状体連結部７を確実に扁平状態にさせることができ、さらにクリップ部（６）に対して結束部（３）を何れかの横方向にずらしたオフセット位置においても環状体連結部７を確実に扁平状態にさせることができる。
【図面の簡単な説明】
【００４７】
【図１】本発明に係わる可変オフセットクリップの斜視図である。
【図２】可変オフセットクリップ１を斜め下方から見た斜視図である。
【図３】線状体を結束した可変オフセットクリップの正面図である。
【図４】図３の可変オフセットクリップの側面図である。
【図５】図３の可変オフセットクリップを左オフセットする途中の作用図である。
【図６】結束部をオフセット無の中立位置にセットした状態を示す可変オフセットクリップの正面図である。
【図７】結束部を右オフセットした状態を示す可変オフセットクリップの正面図である。
【図８】結束部を左オフセットした状態を示す可変オフセットクリップの正面図である。
【符号の説明】
【００４８】
１            可変オフセットクリップ
２            線状体
２Ａ          ワイヤハーネス
３            結束部
４            被取付体
５            クリップ
６            クリップ部
７            環状体連結部
１０          中央の上リンク１０
１１          中央の下リンク１１
１２          左側の上リンク１２
１３          左側の下リンク１３
１４          右側の上リンク
１５          右側の結束バンド
１６          結束バンド
２０          凸部（係合手段）
２１          穴部（係合手段）
【図１】
2005143198.tif 000003
【図２】
2005143198.tif 000004
【図３】
2005143198.tif 000005
【図４】
2005143198.tif 000006
【図５】
2005143198.tif 000007
【図６】
2005143198.tif 000008
【図７】
2005143198.tif 000009
【図８】
2005143198.tif 000010